(57)【特許請求の範囲】
【請求項１】
ヒューズが収納されるヒューズ収納部と、このヒューズ収納部に設けられてヒューズの一対の端子部が両側にそれぞれ挿入されると共に、電線端末の端子が前記各端子部に重ねられてねじにより共締め固定されるねじ止め固定部とからなるヒューズ装着部が複数箇所設けられた接続箱本体を備えた電気接続箱であって、前記複数箇所のヒューズ装着部のうちねじ止め方向に重なる隣接したヒューズ装着部の一方を前記接続箱本体と別体のカセットブロックに形成し、前記接続箱本体にこのカセットブロックが取り付けられるブロック取付部を設けるとともに、他方のヒューズ装着部のねじ止め固定部に、電線端末の端子をねじにより共締め固定する為に、前記接続箱本体の側壁に窓部が形成されたことを特徴とする電気接続箱。
【請求項２】
請求項１記載の発明であって、前記ブロック取付部の対向する内壁の一方に前記カセットブロックのブロック取付部への挿入方向に沿って互いに平行な２条のガイド溝が形成され、他方に１条のガイド溝が形成され、前記カセットブロックの外面に前記２条のガイド溝に挿入される２条のガイド突起が設けられ、前記１条のガイド溝に挿入される１条のガイド突起が設けられていることを特徴とする電気接続箱。
【請求項３】
請求項２記載の発明であって、前記ブロック取付部の開口端から前記１条のガイド溝が前記２条のガイド溝より突出していることを特徴とする電気接続箱。
【請求項４】
請求項１に記載の電気接続箱の組立方法であって、前記他方のヒューズ装着部のヒューズ収納部にヒューズを挿入し、ねじ止め固定部の両側にヒューズの端子部を挿入した後に、電線端末の端子をねじにより共締め固定し、ヒューズ収納部にヒューズが収納され一対の端子部が電線端末とねじによりねじ止め固定部にねじ止めされたカセットブロックをブロック取付部に取り付けることを特徴とする電気接続箱の組立方法。
【発明の詳細な説明】
【０００１】
【発明の属する技術分野】
本発明は、端子部がねじ止め固定されるヒューズが装着される電気接続箱及びその組立方法に関する。
【０００２】
【従来の技術】
図４及び図５は、従来の電気接続箱１を示す。この電気接続箱１は、絶縁性樹脂によって全体が形成された接続箱本体２に、ヒューズ装着部３が形成されている。このヒューズ装着部３は、上方に向けて開口しヒューズ４のヒューズ本体部（図５参照）５が収納されるヒューズ収納部６と、ヒューズ収納部６の下部に形成されてヒューズ４の一対の端子部７ａ、７ｂが挿入されてねじ止め固定されるねじ止め固定部８とで構成されている。
【０００３】
ねじ止め固定部８には、ヒューズ収納部６の底壁の中間部から下方に向けてナット支持壁９が形成されている。このナット支持壁９の両側には、導電性金属によって形成されたナット１０、１０が圧入される圧入溝１１、１１がそれぞれ形成されている。これらのナット１０、１０の外側に、ヒューズ収納部６に収納されたヒューズ４の一対の端子部７ａ、７ｂが位置するようになっている。また、ナット支持壁９の両側に対向する接続箱本体２の側壁には、矩形状の切り欠き１３ａ、１３ｂがそれぞれ形成されている。この切り欠き１３ａ、１３ｂからねじ１４を締め付けるための治具（ドライバー）がナット支持壁９側に挿入される。
【０００４】
そして、ヒューズ収納部６にヒューズ４を収納し、一対の端子部７ａ、７ｂをそれぞれナット支持壁９の両側のナット１０、１０上に挿入した状態で、バッテリ等と接続された電線の端末の端子を端子部７ａ、７ｂ上に重ねて、ねじ１４により共締めすることにより、ヒューズ４の端子部７ａ、７ｂが電線１５と確実に接続される。
【０００５】
【発明が解決しようとする課題】
ところが、複数個のヒューズを接続箱本体に装着する場合、ねじ止め固定部８の両側を、ねじ締め作業のためにあけておく必要があるので、図６に示すように、ねじ止めの方向に沿って並列にヒューズ装着部３を設けることができない。このため、ねじ止め方向に対して直交する方向に沿ってヒューズ装着部を配列して、各ヒューズ装着部のねじ止め固定部の両側に隣接するヒューズ装着部がこないようにしている。従って、ヒューズ装着部の位置が限定され、接続箱本体の設計の自由度が小さくなり、接続箱本体を有効に利用したヒューズ装着部の配置が出来ないという問題がある。
【０００６】
そこで、本発明は、ねじ止め方向に沿って並列にヒューズ装着部を設けることが出来て、接続箱本体の設計の自由度を拡大することができると共に、スペースの有効利用ができる電気接続箱及びその組立方法を提供することを目的とする。
【０００７】
【課題を解決するための手段】
上記目的を達成するため、請求項１記載の発明は、ヒューズが収納されるヒューズ収納部と、このヒューズ収納部に設けられてヒューズの一対の端子部が両側にそれぞれ挿入されると共に、電線端末の端子が前記各端子部に重ねられてねじにより共締め固定されるねじ止め固定部とからなるヒューズ装着部が複数箇所設けられた接続箱本体を備えた電気接続箱であって、前記複数箇所のヒューズ装着部のうちねじ止め方向に重なる隣接したヒューズ装着部の一方を前記接続箱本体と別体のカセットブロックに形成し、前記接続箱本体にこのカセットブロックが取り付けられるブロック取付部を設けるとともに、他方のヒューズ装着部のねじ止め固定部に、電線端末の端子をねじにより共締め固定する為に、前記接続箱本体の側壁に窓部が形成されたことを特徴とする。
【０００８】
この電気接続箱では、最初に他方のヒューズ装着部にヒューズを装着し、このヒューズ装着部のねじ止め固定部の両側に、ヒューズの一対の端子部と電線端末の端子とをねじ止め固定する。次にカセットブロックをブロック取付部に取り付ける。この場合、カセットブロックの一方のヒューズ装着部にはヒューズが装着され、一方のヒューズ装着部のねじ止め固定部の両側にヒューズの一対の端子部と電線端末の端子とがねじ止め固定されている。
【０００９】
この電気接続箱では、ねじ止め方向に隣接するヒューズ装着部の一方が接続箱本体と別体のカセットブロックに形成されているので、先に接続箱本体側のヒューズ装着部にヒューズを装着し、カセットブロック側のヒューズ装着部にヒューズを装着しておいて、カセットブロックを接続箱本体に取り付けることにより、ヒューズ装着部をねじ止め方向に沿って隣接配置することができる。
【００１０】
請求項２記載の発明は、請求項１記載の発明であって、前記ブロック取付部の対向する内壁の一方に前記カセットブロックのブロック取付部への挿入方向に沿って互いに平行な２条のガイド溝が形成され、他方に１条のガイド溝が形成され、前記カセットブロックの外面に前記２条のガイド溝に挿入される２条のガイド突起が設けられ、前記１条のガイド溝に挿入される１条のガイド突起が設けられていることを特徴とする。
【００１１】
この電気接続箱では、カセットブロックは、３条のガイド突起がそれぞれガイド溝に挿入されてブロック取付部に対して３か所で案内されるため、ブロック取付部の正規な位置に容易に位置決め固定することができる。また、対向する内壁の一方に２条のガイド溝を形成し、他方に１条のガイド溝を設けることでカセットブロックのブロック取付部への誤装着を未然に防止できる。
【００１２】
請求項３記載の発明は、請求項２記載の発明であって、前記ブロック取付部の開口端から前記１条のガイド溝が前記２条のガイド溝より突出されていることを特徴とする。
【００１３】
この電気接続箱では、他のガイド溝よりも長いガイド溝に対してはガイド突起が最初に挿入され、この挿入によりカセットブロックがブロック取付部に対しておおよその位置に決められ、次に短いガイド溝にガイド突起が挿入されることで、正規な位置へと案内される。従って、カセットブロックをブロック取付部に簡単に装着することが出来る。
【００１４】
請求項４記載の発明は、請求項１に記載の電気接続箱の組立方法であって、前記他方のヒューズ装着部のヒューズ収納部にヒューズを挿入し、ねじ止め固定部の両側にヒューズの端子部を挿入した後に、電線端末の端子をねじにより共締め固定し、ヒューズ収納部にヒューズが収納され一対の端子部が電線端末とねじによりねじ止め固定部にねじ止めされたカセットブロックをブロック取付部に取り付けることを特徴とする。
【００１５】
この電気接続箱の組立方法では、最初の接続箱本体側の他方のヒューズ装着部にヒューズを装着し、ねじ止め固定部の両側に一対の端子部と電線端末の端子とをねじにより共締め固定する。次に、ヒューズがヒューズ装着部に装着された状態のカセットブロックをブロック取付部に取り付ける。この結果、ねじ止め方向に沿ってヒューズ装着部を隣接配置することが可能となる。
【００１６】
【発明の実施の形態】
以下、本発明に係る電気接続箱の実施形態について図面を用いて説明する。図１は、実施形態の電気接続箱１７を示す分解斜視図、図２は、電気接続箱の組立方法を示す分解断面図である。
【００１７】
図１及び図２に示すように、本形態の電気接続箱１７の接続箱本体１８は、２か所のヒューズ装着部１９、２０が形成されており、これらのヒューズ装着部１９、２０は、ねじ止め方向（図示矢印ａ方向）に沿って隣接配置されている。これらのヒューズ装着部１９、２０に対応して、接続箱本体１８の側壁には、窓部４２が形成されている。これらの窓部４２は、後述するねじ止め固定部２９にねじ２８を締め付ける際の工具（ドライバー）が挿通される。
【００１８】
また、本形態の電気接続箱１７では、ねじ止め方向に沿って隣接したヒューズ装着部１９、２０のうち一方のヒューズ装着部１９が接続箱本体１８と別体のカセットブロック２１に形成されている。また、接続箱本体１８には、このカセットブロック２１が取り付けられるブロック取付部２２が設けられている。
【００１９】
接続箱本体１８に一体に形成されたヒューズ装着部２０は、ヒューズ２３が収納されるヒューズ収納部２４と、このヒューズ収納部２４に設けられてヒューズ２３の一対の端子部２５ａ、２５ｂが両側にそれぞれ挿入されると共に、電線２６の端末の端子２７、２７が各端子部２５ａ、２５ｂに重ねられてねじ２８により共締め固定されるねじ止め固定部２９とで構成されている。
【００２０】
ヒューズ収納部２４は、４片の側壁３０ａ、３０ｂ、３０ｃ、３０ｄからなり、上方向に開口したフード部３１で形成され、このフード部３１内は、ヒューズ２３の溶断部を内蔵するヒューズ本体３２が収容される大きさに形成されている。ヒューズ収納部２４の底壁には一対のスリット（不図示）が形成され、これらのスリットからヒューズ２３の端子部２５ａ、２５ｂがねじ止め固定部２９側へ挿入される。
【００２１】
ねじ止め固定部２９は、上記一対のスリット間から下方に延設されたナット支持壁３３の両側に、ナット圧入用の圧入溝３４、３４がそれぞれ形成されている。このため、スリットからねじ止め固定部２９側へ挿入されたヒューズ２３の一対の端子部２５ａ、２５ｂは、ナット支持壁３３の両側に配置され、ナット３５、３５の端面上に重ねられる。このねじ止め固定部２９のねじ止め方向（図示矢印ａ方向）に隣接してブロック取付部２２が形成されている。
【００２２】
ブロック取付部２２は、上下に貫通した取付孔部３６からなる。この取付孔部３６内には、図２に示すように、カセットブロック２１が下方の開口から内部に挿入され図示しないロック手段により固定される。
【００２３】
カセットブロック２１は、接続箱本体１８と別体に形成されると共に、取付孔部３６内に挿入可能な大きさに形成されている。このカセットブロック２１に形成されたヒューズ装着部１９は、接続箱本体１８に形成されたヒューズ装着部２０と同構成で、ヒューズ収納部３８と、ねじ止め固定部３９とから構成されている。ねじ止め固定部３９は、上記ねじ止め固定部２９と同構成で、ナット支持壁４０と、このナット支持壁４０の両側にナット圧入用の圧入溝４１、４１がそれぞれ形成されて、ナット３５、３５が圧入されている。
【００２４】
次ぎに、電気接続箱１７の組み立て手順について説明する。
【００２５】
先ず、接続箱本体１８と一体に形成されたヒューズ装着部２０にヒューズ２３を装着する。この装着では、ヒューズ本体３２がヒューズ収納部２４に収納され、一対の端子部２５ａ、２５ｂは、ナット支持壁部３３の両側に挿入されナット３５、３５上に位置する。この状態から、電線端末の端子２７を端子部２５ａ、２５ｂ上に重ねて、ねじ２８を窓部４２から接続箱本体１８内に挿入し、ナット３５、３５と螺合させる。そして、工具を窓部４２から挿入してねじ２８をナット３５に締め付ける。これにより、ヒューズ装着部２０に装着されたヒューズ２３が電線２６と接続される。
【００２６】
次ぎに、カセットブロック２１を取付孔部３６内に下方から挿入して、ブロック取付部２２に固定する。この場合、カセットブロック２１のヒューズ装着部１９には、予めヒューズ２３を装着し、電線２６端末の端子２７と一対の端子部２５ａ、２５ｂとがねじ２８、２８によりそれぞれ共締め固定されている。カセットブロック２１をブロック取付部２２に取り付けた状態では、ヒューズ装着部１９、２０は、ねじ止め方向に並列に配列されている。
【００２７】
このように、ヒューズ装着部１９を接続箱本体１８とは別体のカセットブロック２１に形成したため、ヒューズ装着部１９がヒューズ装着部２０へのヒューズ２３の装着の際のねじ止め作業の邪魔になることがなく、ヒューズ装着部１９、２０を、ねじ止め方向に並列に配設することが出来る。従って、ヒューズ装着部１９、２０の位置が限定されることがないので、接続箱本体１８の設計の自由度が拡大し、接続箱本体１８におけるスペースを有効に利用することが出来る。
【００２８】
次ぎに図３に示す他の実施形態について説明する。この実施形態は、接続箱本体４３に別体のカセットブロック４７を取り付ける取付構造に関する。なお、本形態においても、ねじ止め方向に沿って隣接したヒューズ装着部１９、２０のうち一方のヒューズ装着部１９が接続箱本体４３と別体のカセットブロック４７に形成されている。また、接続箱本体４３には、このカセットブロック４７が取り付けられるブロック取付部４４が設けられている。
【００２９】
図３に示すように、接続箱本体４３に設けられたブロック取付部４４の対向する内壁４５、４６のうち一方の内壁４５に、ブロック取付部４４へのカセットブロック４７の挿入方向に沿って互いに平行な２条のガイド溝４８、４９が形成され、他方の内壁４６に１条のガイド溝５０が形成されている。また、１条のガイド溝５０は、他の２条のガイド溝４８、４９より長く形成されている。
【００３０】
一方、カセットブロック４７の外面には、２条のガイド溝４８、４９にそれぞれ挿入される２条のガイド突起５１、５２が設けられ、反対側の面には、１条のガイド溝５０に挿入される１条のガイド突起５３が設けられている。
【００３１】
また、カセットブロック４７には、ガイド突起５１、５２の間に係止突起５４を有するロックアーム５５が設けられている。このロックアーム５５の係止突起５４と対向するブロック取付部４４には、係止突起５４と係合する係止穴（不図示）が設けられている。
【００３２】
そして、カセットブロック４７を接続箱本体４３のブロック取付部４４に取り付けるには、最初にガイド突起５３をガイド溝５０に挿入し、そのままカセットブロック４７をブロック取付部４４内に挿入する。このとき、ガイド突起５１、５２とガイド溝４８、４９の位置がずれている場合には、ガイド突起５３を中心にカセットブロック４７を揺動させてガイド突起５１、５２をガイド溝４８、４９に位置合わせする。ガイド突起５１、５２がガイド溝４８、４９と合った位置で、カセットブロック４７をブロック取付部４４内に挿入する。カセットブロック４７をブロック取付部４４内に挿入すると、係止突起５４が係止穴に係合する。これにより、カセットブロック４７が接続箱本体４３のブロック取付部４４に取り付けられる。
【００３３】
この形態におけるブロック取付部４４へのカセットブロック４７の取付構造では、ブロック取付部４４のガイド溝５０に最初にガイド突起５３を挿入することで、他のガイド突起５１、５２をガイド溝４８、４９に容易に挿入することが出来る。従って、ブロック取付部４４へのカセットブロック４７の取付を容易に行うことができる。
【００３４】
また、最初のガイド突起５３をガイド溝５０に挿入し、次ぎに他の２つのガイド突起５１、５２をガイド溝４８、４９に挿入するため、カセットブロック４７は３点でブロック取付部４４に支持されるため、不用意に移動したり回転することがなく、その取付を確実に行うことができる。さらにはカセットブロック４７の装着方向が決定されるため、その誤装着がなくなる。
【００３５】
なお、この形態におけブロック取付部へのカセットブロックの取付構造は、図１、２に示す上記実施形態における電気接続箱に適用しても良い。
【００３６】
【発明の効果】
請求項１の発明は、ねじ止め方向に隣接するヒューズ装着部の一方が接続箱本体と別体のカセットブロックに形成されているので、先に接続箱本体側のヒューズ装着部にヒューズを装着し、カセットブロック側のヒューズ装着部にヒューズを装着しておいて、カセットブロックを接続箱本体に取り付けることにより、ヒューズ装着部をねじ止め方向に沿って隣接配置することができる。従って、接続箱本体の設計の自由度を拡大することが出来ると共に、接続箱本体のスペースの有効利用が可能となる。
【００３７】
請求項２の発明は、カセットブロックが、３条のガイド突起がそれぞれガイド溝に挿入されてブロック取付部に対して３か所で案内されるため、ブロック取付部の正規な位置に容易に位置決め固定することができる。また、対向する内壁の一方に２条のガイド溝を形成し、他方に１条のガイド溝を設けることでカセットブロックのブロック取付部への誤装着を未然に防止できる。
【００３８】
請求項３の発明は、他のガイド溝よりも長いガイド溝に対してはガイド突起が最初に挿入され、この挿入によりカセットブロックがブロック取付部に対しておおよその位置に決められ、次に短いガイド溝にガイド突起が挿入されることで、正規な位置へと案内されるので、カセットブロックをブロック取付部に簡単に装着することが出来る。
【００３９】
請求項４の発明は、ねじ止め方向に沿ってヒューズ装着部を隣接配置することが可能となるので、接続箱本体の設計の自由度を拡大することが出来ると共に、接続箱本体のスペースの有効利用が可能となる。
【図面の簡単な説明】
【図１】本発明の実施形態の分解斜視図である。
【図２】組立方法を示す分解断面図である。
【図３】別の実施形態の要部の分解斜視図である。
【図４】従来の電気接続箱の接続箱本体の斜視図である。
【図５】従来の接続方法を示す側断面図である。
【図６】従来構造では実施が不可能な接続状態を示す側断面図である。
【符号の説明】
１７  電気接続箱
１８、４３  接続箱本体
１９、２０  ヒューズ装着部
２１、４７  カセットブロック
２２、４４  ブロック取付部
２３  ヒューズ
２４、３８  ヒューズ収納部
２５ａ、２５ｂ  一対の端子部
２６  電線
２７  端子
２８  ねじ
２９、３９  ねじ止め固定部
【図１】
0003540092.tif 000002
【図２】
0003540092.tif 000003
【図３】
0003540092.tif 000004
【図４】
0003540092.tif 000005
【図５】
0003540092.tif 000006
【図６】
0003540092.tif 000007